(57)【要約】  【課題】  検査データの一元管理を崩すことなく、ユーザの検査効率を高めた超音波診断装置を提供する。  【解決手段】  ある患者Ａに対し超音波を送受信して得られた超音波画像と共に患者Ａに関する画像モード、設定パラメータ、検査画像、リポートデータ等の検査データを検査データ一時記憶部９に自動的に一時退避させ、退避中は別の患者Ｂに対する検査を実施し、患者Ｂに対する検査が終了した後、退避した検査データを検査データ再設定部１０で自動的に再設定して元の患者Ａに対する検査を再開させる。【選択図】  図１
2006167048.tif 000002
【特許請求の範囲】
【請求項１】
被検体に対し超音波を送受波し得られた超音波エコー信号に基づいて超音波画像を表示する超音波診断装置において、
前記被検体に関する検査データを一時的に記憶する一時記憶手段と、
前記一時記憶手段から前記検査データを読み出し前記検査データを再設定する再設定手段とを備えたことを特徴とする超音波診断装置。
【請求項２】
前記一時記憶手段に前記検査データを記憶している経過時間を計測する計測手段と、
前記計測手段で計測された結果もしくは装置の状態を元に、前記一時記憶手段で一時記憶されている前記検査データを再設定するかを判定する判定手段とを備えた請求項１記載の超音波診断装置。
【請求項３】
前記一時記憶手段に一時記憶されている前記検査データを再設定するか否かを切り替える切替手段を備えた請求項１または２記載の超音波診断装置。
【発明の詳細な説明】
【技術分野】
【０００１】
本発明は、医療用の超音波診断装置に関するものである。
【背景技術】
【０００２】
従来の超音波診断装置では、検査の開始から終了までの検査データ（超音波画像やそれに付随するリポート情報）を一貫させて１つの検査データとして扱う。同一患者が複数回検査を行う場合、新たな検査として、過去の検査データを基に検査モードや検査条件を、手動もしくは自動で過去の検査時と同様の設定状態に合致するように再設定するのが一般的である（例えば、特許文献１、特許文献２参照）。
【特許文献１】特開平７−１６３５５７号公報
【特許文献２】特開２００４−１９４７０５号公報
【発明の開示】
【発明が解決しようとする課題】
【０００３】
しかしながら、検査中に緊急患者のために超音波診断装置の使用が必要となったり、患者が一時的に別の検査室へ行っている間に別の患者の検査を実施した後、最初の患者が戻ってきて再検査を実施する場合においては、１回目と２回目の検査データが分割されてしまい、ユーザにとっては分かれた検査データを扱わなければならないため、検査データの一元管理ができないという問題があった。
【０００４】
本発明は、かかる問題点に鑑みてなされたものであり、その目的は、検査データの一元管理を崩すことなく、ユーザの検査効率を高めた超音波診断装置を提供することにある。
【課題を解決するための手段】
【０００５】
前記の目的を達成するため、本発明に係る超音波診断装置は、被検体に対し超音波を送受波し得られた超音波エコー信号に基づいて超音波画像を表示する超音波診断装置であって、被検体に関する検査データを一時的に記憶する一時記憶手段と、一時記憶手段からデータを読み出し検査データを再設定する再設定手段とを備えた構成を有している。
【０００６】
この構成により、検査データを一時的に退避し、退避中は別の検査を実施することができ、退避した検査データを再設定して検査の再開ができるため、一台の超音波診断装置上において同時複数回の検査データの管理を容易にすることにより、効率的なルーチンワークフローの実施を可能にすると共に、検査データの一元管理を崩すことなく、ユーザの検査効率を高めることができる。
【０００７】
また、本発明に係る超音波診断装置は、一時記憶手段で検査データを退避している経過時間を計測する計測手段と、計測手段で計測された結果もしくは装置の状態を元に一時記憶手段に一時退避されている検査データを再設定するかを判定する判定手段とを備えた構成を有している。
【０００８】
この構成により、一時退避している検査データがある一定の時間経過した場合や、装置の電源停止時に、退避している検査データを再設定するか、検査記録として登録するか、あるいは削除するか、もしくは保持し続けるかをユーザが明示的に選択することができ、一時退避している検査データの保存のし忘れを防止することができる。
【０００９】
また、本発明に係る超音波診断装置は、一時記憶手段に一時退避されている検査データを再設定するか否かを切り替える切替手段を備えた構成を有している。
【００１０】
この構成により、一時退避している検査データをユーザが任意の時に再設定でき、複数の検査データの切り替えを容易に行えるため、検査効率を高めることができる。
【発明の効果】
【００１１】
本発明によれば、検査データの一時退避および再開制御を実施することで、一台の超音波診断装置上において同時複数回の検査データの管理を容易にすることにより、効率的なルーチンワークフローの実施を可能にすると共に、検査データの一元管理を崩すことなく、ユーザの検査効率を高めた超音波診断装置を提供することができる、という格別な効果を奏する。
【発明を実施するための最良の形態】
【００１２】
以下、本発明の好適な実施の形態について、図面を参照して説明する。
【００１３】
（第１の実施の形態）
図１は、本発明の第１の実施の形態に係る超音波診断装置の一構成例を示すブロック図である。
【００１４】
図１において、本実施の形態による超音波診断装置１０１は、被検体に対して超音波を照射する探触子１と、送信信号を発生させる送信信号発生部３と、送信信号発生部３で発生させた送信信号を増幅し探触子１を駆動する送信部２と、被検体より反射されたエコー信号を受信する受信部４と、受信された信号の超音波画像処理を行う受信信号処理部５と、超音波画像処理された信号を表示するための超音波画像に変換するディジタル・スキャン・コンバータ（ＤＳＣ）６と、超音波画像を表示するモニタ７（表示手段）と、超音波診断装置全体を制御する制御部８と、画像モード、設定パラメータ、検査画像、リポートデータ等の検査データを一時的に退避する検査データ一時記憶部９（一時記憶手段）と、検査データ一時記憶部９に退避されている検査データを再設定する検査データ再設定部１０（再設定手段）と、ユーザが超音波診断装置１０１を操作する制御卓１１とで構成される。
【００１５】
次に、以上のように構成された超音波診断装置１０１の動作について、図１に加えて、図２および図３を参照して説明する。
【００１６】
図２は、図１に示す超音波診断装置における検査データの一時退避を説明するためのフローチャートである。また、図３は、図１に示す超音波診断装置における検査データの再設定を説明するためのフローチャートである。
【００１７】
図２において、患者の検査データの一時退避の流れは、次のようにして行われる。まず、ステップ２１で患者Ａの検査中に緊急患者として患者Ｂが来た場合、ステップ２２に進み、ユーザが制御卓１１上にある新規患者キー等を押下することで、制御部８に新規患者の検査通知がなされ、ステップ２３に進む。制御部８は患者Ａの検査データを検査データ一時記憶部９に自動的に一時退避し、ステップ２４に進み、患者Ｂの検査を開始する。
【００１８】
図３において、患者データの再設定の流れは、次のようにして行われる。ステップ２５で患者Ｂの検査が終了すると、ステップ２６に進み、制御部８は検査データ一時記憶部９に退避されている患者Ａの検査データを読み出し、ステップ２７に進み、検査データ再設定部１０で検査データを自動的に再設定することで、前回患者Ａを検査した時の検査モード、検査条件等の設定である元の状態に戻し、検査データの連続性を保って患者Ａの検査を再開する。
【００１９】
また、図４に示すように、ステップ２１で患者Ａの検査中に、ステップ２２で制御部８に新規患者（患者Ｂ）の検査通知がなされた場合、ステップ２８に進み、患者Ａの検査データを検査データ一時記憶部９に一時退避するかどうかを手動で選択するようにしてもよい。
【００２０】
あるいは、図５に示すように、ステップ２５で患者Ｂの検査が終了した時、ステップ２９に進み、検査データ一時記憶部９に一時退避されている検査データがあるかどうかを確認し、一時退避されている検査データがある場合（ＹＥＳ）、ステップ２６に進み、制御部８は、検査データ一時記憶部９に退避されている患者Ａの検査データを読み出し、検査データ再設定部１０で検査データを再設定することで、患者Ａの検査を再開し、ステップ２９で一時退避されている検査データがない場合（ＮＯ）、ステップ３０に進み、新しい検査を開始してもよい。
【００２１】
なお、検査データ一時記憶部９は、複数の検査データを退避することができ、複数の患者の一時退避が可能である。例えば、図５のステップ２９で複数の検査データがある場合は、ステップ２６でユーザが任意のひとつの検査データを選択することで、選択された患者の検査を再開することも可能である。
【００２２】
さらにまた、患者が変わったことで探触子が取り換えられている場合、元の患者に対応した探触子に戻すことを指示するために、モニタ７に警告表示するようにしてもよい。
【００２３】
以上のように、本実施の形態によれば、検査データを一時的に退避し、退避中は別の検査を実施することができ、退避した検査データを再設定して検査の再開ができるため、一台の診断装置上において同時複数回の検査データの管理を容易にすることにより、効率的なルーチンワークフローの実施を可能にすると共に、検査データの一元管理を崩すことなく、ユーザの検査効率を高めることができる。
【００２４】
（第２の実施の形態）
図６は、本発明の第２の実施の形態２に係る超音波診断装置の一構成例を示すブロック図である。
【００２５】
本実施の形態による超音波診断装置１０２は、第１の実施の形態の説明で参照した図１に示す超音波診断装置１０１の構成に加えて、検査データ再設定部９で検査データを退避している経過時間を測定する計測部１２（計測手段）と、計測部１２で計測された結果と装置の状態を元に、検査データ再設定部９により、検査データ一時記憶部９に一時退避されている検査データを再設定するかを判定する判定部１３（判定手段）とが設けられた構成を有する。なお、図６において、図１と同じ構成および機能を有する部分については、同一の符号を付して説明を省略する。
【００２６】
次に、以上のように構成された超音波診断装置１０２の動作について、図６に加えて、図７および図８を参照して説明する。
【００２７】
図７は、図６に示す超音波診断装置１０２における検査データの再設定判定を説明するためのフローチャートである。また、図８は、図６に示す超音波診断装置１０２における電源停止処理を説明するためのフローチャートである。
【００２８】
図７に示す検査データの再設定判定おいて、ステップ３１で、計測部１２が検査データ一時記憶部９に検査データを退避している経過時間を計測し、その経過時間が予め設定された任意の一定時間に達した場合、ステップ３２に進む。この時、判定部１３において、検査データ一時記憶部９に退避された検査データを再設定するか、検査記録として登録するか、削除するか、退避し続けるかの判定を行う。判定部１３では、ユーザが予め設定していた判定条件を元に判定を行う。または、ユーザ自身がその都度退避された検査データをどうするかの判定を行っても良い。
【００２９】
退避された検査データを登録すると判定された場合は、ステップ３３に進み、制御部８は、検査データ一時記憶部９に退避された検査データを検査記録として保存し、その検査を終了する。
【００３０】
退避された検査データを削除すると判定された場合は、ステップ３４に進み、制御部８は、検査データ一時記憶部９に退避されている検査データを削除し、その検査を終了する。
【００３１】
退避を継続すると判定された場合は、ステップ３５に進み、現在の状態を維持し続ける。
【００３２】
退避された検査データを再設定すると判定された場合は、ステップ３６に進み、制御部８は、検査データ一時記憶部９に記憶されている検査データを読み出し、検査データ再設定部１０で再設定する。
【００３３】
また、図８に示す電源停止処理において、ステップ３７で電源がオフされた場合、ステップ３８へ進み、制御部８は、検査データ一時記憶部９に退避中の検査データがあるかを確認し、ある場合はステップ３９に進み、判定部１３で判定された結果を元に、退避された検査データを登録する場合は、ステップ４０に進み、検査データ一時記憶部９に退避された検査データを保存し、ステップ４２に進みシャットダウン処理を行う。
【００３４】
一方、ステップ３９で退避された検査データを削除する場合は、ステップ４１に進み、制御部８は、検査データ一時記憶部９に退避されている検査データを削除し、ステップ４２に進みシャットダウン処理を行う。
【００３５】
以上のように、本実施の形態によれば、一時退避している検査データがある一定の時間経過した場合や、装置の電源停止時に、退避している検査データを再設定するか、検査記録として登録するか、あるいは削除するか、もしくは退避し続けるかをユーザが明示的に選択することができ、一時退避している検査データの保存のし忘れを防止することができる。
【００３６】
（第３の実施の形態）
図９は、本発明の第３の実施の形態に係る超音波診断装置の一構成例を示すブロック図である。
【００３７】
本実施の形態による超音波診断装置１０３は、第２の実施の形態の説明で参照した図６に示す超音波診断装置１０２の構成に加えて、検査データ一時記憶部９で一時退避されている検査データを再設定するかを切り替える切替部１４（切替手段）が設けられた構成を有する。なお、図９において、図６と同じ構成および機能を有する部分については、同一の符号を付して説明を省略する。
【００３８】
次に、以上のように構成された超音波診断装置１０３の動作について、図９に加えて、図１０を参照して説明する。
【００３９】
図１０は、本実施の形態による超音波診断装置１０３における検査データの切替処理を説明するためのフローチャートである。
【００４０】
図１０において、まず、ステップ４３で患者の検査中、もしくは現在は検査していない検査待ちの時に、ステップ４４で制御卓１１であるコントロールパネル上のキーとしてあらかじめ設定されている切替部１４である切替ボタンが押下されると、ステップ４５に進み、制御部８は検査データ一時記憶部９に退避されている検査データを読み出し、検査データ再設定部１０で検査データを再設定することで、検査を再開する。
【００４１】
また、図１１に示すように、ステップ４４で切替ボタンが押下された場合、ステップ４７へ進み、検査データ一時記憶部９に一時退避されている検査データがあるかどうかを確認し、退避されている検査データがある場合（ＹＥＳ）、ステップ４５に進み、制御部８は、検査データ一時記憶部９に退避されている検査データを読み出し、検査データ再設定部１０で検査データを再設定し、ステップ４６に進み、再設定された検査を再開し、ステップ１１で退避されているデータがない場合（ＮＯ）、ステップ４８に進み、新しい検査を開始してもよい。
【００４２】
以上のように、本実施の形態によれば、一時退避している検査データをユーザが任意の時に再設定でき、複数の検査データの切り替えを容易に行えるため、検査効率を高めることができる。
【００４３】
なお、本発明は上述の実施の形態に限らず、特定の検査中におけるアプリケーションデータの退避・再開方法としても実施可能であるのはもちろんである。
【産業上の利用可能性】
【００４４】
本発明に係る超音波診断装置は、一台の超音波診断装置上において同時複数回の検査データの管理を容易にすることにより、効率的なルーチンワークフローの実施を可能にすると共に、検査データの一元管理を崩すことなく、ユーザの検査効率を高めることができるという優れた利点を有し、同時に複数の検査を必要とする場合や、緊急の使用が必要な際に使われる超音波診断装置として有用である。
【図面の簡単な説明】
【００４５】
【図１】本発明の第１の実施の形態に係る超音波診断装置の一構成例を示すブロック図
【図２】図１に示す超音波診断装置における検査データの一時退避を説明するためのフローチャート
【図３】図１に示す超音波診断装置における検査データの再設定を説明するためのフローチャート
【図４】図１に示す超音波診断装置における検査データの一時退避の変形例を説明するためのフローチャート
【図５】図１に示す超音波診断装置における検査データの再設定の変形例を説明するためのフローチャート
【図６】本発明の第２の実施の形態に係る超音波診断装置の一構成例を示すブロック図
【図７】図６に示す超音波診断装置における検査データの再設定判定を説明するためのフローチャート
【図８】図６に示す超音波診断装置における電源停止処理を説明するためのフローチャート
【図９】本発明の第３の実施の形態に係る超音波診断装置の一構成例を示すブロック図
【図１０】図９に示す超音波診断装置における検査データの切替処理を説明するためのフローチャート
【図１１】図９に示す超音波診断装置における検査データの切替処理の変形例を説明するためのフローチャート
【符号の説明】
【００４６】
１  探触子
２  送信部
３  送信信号発生部
４  受信部
５  受信信号処理部
６  ＤＳＣ部
７  モニタ
８  制御部
９  検査データ一時記憶部
１０  検査データ再設定部
１１  制御卓
１２  計測部
１３  判定部
１４  切替部
１０１、１０２、１０３  超音波診断装置
【図１】
2006167048.tif 000003
【図２】
2006167048.tif 000004
【図３】
2006167048.tif 000005
【図４】
2006167048.tif 000006
【図５】
2006167048.tif 000007
【図６】
2006167048.tif 000008
【図７】
2006167048.tif 000009
【図８】
2006167048.tif 000010
【図９】
2006167048.tif 000011
【図１０】
2006167048.tif 000012
【図１１】
2006167048.tif 000013